(57)【要約】【課題】サイドシルにタイダウンホールが設けられた車両の車体下部構造において、部品点数を抑制しつつ、タイダウンホール周辺部の補強とジャッキアップ部の補強とを両立させる。【解決手段】サイドシルインナ１９の底壁部１９ｄのジャッキアップ部４１の車両後方に隣接する部位には、タイダウンフックが係止されるタイダウンホール２３が形成され、底壁部１９ｄ上には、タイダウンホール２３周辺部を補強する補強ブラケット２５のブラケット本体２７が設けられ、ブラケット本体２７には、ブラケット本体２７とジャッキアップ部４１の車両前側端との間に配設され、かつ上方に延びてサイドシル３内を車両前後方向に仕切る前側仕切壁３３が設けられている。【選択図】図６
2015160511.tif 000002
【特許請求の範囲】
【請求項１】
車室の床面を形成するフロアパネルの車幅方向両端に前後方向に延びるサイドシルが設けられ、該サイドシルにジャッキによって支持されるジャッキアップ部が形成された車両の車体下部構造であって、
上記サイドシルは、閉断面形状をなし、その底壁部から車両前後方向に延びるフランジが下方に張り出しており、
上記ジャッキアップ部は、上記底壁部上面の一般面より湾曲面をもって下方に窪むことにより、上記フランジの上下幅が細幅となることによって形成され、
上記底壁部の上記ジャッキアップ部の車両前後方向に隣接する部位には、タイダウンフックが係止されるタイダウンホールが形成され、
上記底壁部上には、上記タイダウンホール周辺部を補強する補強部材が設けられ、
該補強部材には、該補強部材と上記ジャッキアップ部の反補強部材側端との間に配設され、かつ上方に延びて上記サイドシル内を車両前後方向に仕切る仕切部材が設けられていることを特徴とする車両の車体下部構造。
【請求項２】
請求項１に記載の車両の車体下部構造において、
上記底壁部のジャッキアップ部対応箇所には、上記湾曲面から上記底壁部の一般面と略同一高さ位置まで車両上方に突出するビード部が形成され、
上記補強部材は、車両前後方向に上記ビード部まで延びて該ビード部に接合された延長部を有することを特徴とする車両の車体下部構造。
【請求項３】
請求項１又は２に記載の車両の車体下部構造において、
上記フロアパネルにおけるフロントフロアパネルとその車両後方のリアフロントパネルとの境界部分には、車両後方に段上がり状となるキックアップ部が形成され、
該キックアップ部の車両後方には、車幅方向に延びて両端が上記一対のサイドシルに連結されたクロスメンバが設けられ、
上記仕切部材は、上記サイドシルの内周面における上記クロスメンバに対応する部位に接合されていることを特徴とする車両の車体下部構造。
【発明の詳細な説明】
【技術分野】
【０００１】
本発明は、車両の車体下部構造に関し、特に、タイダウンフックが係合されるタイダウンホールが形成されたサイドシルを備えたものに関する。
【背景技術】
【０００２】
従来、車両の車体下部には、トレーラ、鉄道の貨車及び搬送船等の種々の搬送手段によって搬送する際に車両を固定するためのタイダウンホールが設けられている。
【０００３】
このような車両の一例が特許文献１に開示されている。この特許文献１の車両では、フロアパネルの左右両側に車両前後方向に延びるサイドシルが配設され、その上面にフロアパネル下面が接合されている。このフロアパネル下面には車幅方向に延びるクロスメンバが配設され、該クロスメンバの端部がサイドシルに接合されている。また、サイドシルの車幅方向内側には、車両前後方向に延びるリアサイドフレームが配設され、該リアサイドフレームがフロアパネル下面に接合されている。リアサイドフレームは、上下幅がサイドシルよりも小さく、その底壁はサイドシル下端よりも上方に位置している。そして、このリアサイドフレームの底壁における該リアサイドフレームの車外側側壁の湾曲部分とサイドシルとによってなす隅角部に半円形状の切欠部が形成されている。該切欠部には、タイダウンフックを係合させるタイダウンホールが底壁に形成されたタイダウンブラケットが嵌合固定されている。
【先行技術文献】
【特許文献】
【０００４】
【特許文献１】特開平１０−７６９７８号公報
【発明の概要】
【発明が解決しようとする課題】
【０００５】
しかしながら、特許文献１の車両では、タイダウンフックをタイダウンホールに係止する際、タイダウンフックを車幅方向外側から車体下方をくぐらせてタイダウンホールに係止させることになる。そのとき、タイダウンブラケットの車幅方向外側、つまり、作業者にとって手前側にサイドシルが配設されており、作業者はこのサイドシル下方にタイダウンフックをくぐらせて係止しなければならず、係止作業が困難となる。そこで、タイダウンホールをリアサイドフレーム側に設けるのではなく、手前側のサイドシルに設けることが考えられる。その場合、タイダウンホールを形成することにより、サイドシルのタイダウンホール周辺部の剛性が低下するため、タイダウンホール周辺部を補強する補強部材を設ける必要がある。
【０００６】
一方、サイドシルには、ジャッキアップ時にジャッキによって支持されるジャッキアップ部が形成されている。このジャッキアップ部には、下方からジャッキによる支持荷重が作用するため、比較的高い剛性が要求される。そのため、次のような対策がなされている。すなわち、閉断面形状をなすサイドシルの底壁部に、車両下方に張り出して車両前後方向に延びるフランジが形成されている。このフランジには、上記底壁部の上面の一般面より湾曲面をもって下方に窪んだことにより、上下幅が細幅となっている。この細幅部分にジャッキアップ部が形成されている。そして、サイドシル内には、このジャッキアップ部に隣接する位置にサイドシル内を車両前後方向に仕切る仕切部材が配設されており、この仕切部材によってジャッキアップ部が補強されている。
【０００７】
しかしながら、従来から設けられているジャッキアップ部補強用の補強部材の他に、上記のようにタイダウンホール周辺部補強用の補強部材を別途設けると、部品点数、重量及びコストが嵩むという問題がある。
【０００８】
本発明は、かかる点に鑑みてなされたものであり、その目的とするところは、サイドシルにタイダウンホールが設けられた車両の車体下部構造において、部品点数を抑制しつつ、タイダウンホール周辺部の補強とジャッキアップ部の補強とを両立させることにある。
【課題を解決するための手段】
【０００９】
上記の目的を達成するために、本発明は、サイドシルにおいてジャッキアップ部に近接するようにタイダウンホールを設け、タイダウンホールとジャッキアップ部の反タイダウンホール側端との間に仕切部材を設けたものである。
【００１０】
具体的には、本発明は、車室の床面を形成するフロアパネルの車幅方向両端に前後方向に延びるサイドシルが設けられ、該サイドシルにジャッキによって支持されるジャッキアップ部が形成された車両の車体下部構造を対象とし、次のような解決手段を講じた。
【００１１】
すなわち、第１の発明は、上記サイドシルは、閉断面形状をなし、その底壁部から車両前後方向に延びるフランジが下方に張り出しており、上記ジャッキアップ部は、上記底壁部上面の一般面より湾曲面をもって下方に窪むことにより、上記フランジの上下幅が細幅となることによって形成され、上記底壁部の上記ジャッキアップ部の車両前後方向に隣接する部位には、タイダウンフックが係止されるタイダウンホールが形成され、上記底壁部上には、上記タイダウンホール周辺部を補強する補強部材が設けられ、該補強部材には、該補強部材と上記ジャッキアップ部の反補強部材側端との間に配設され、かつ上方に延びて上記サイドシル内を車両前後方向に仕切る仕切部材が設けられていることを特徴とする。
【００１２】
第１の発明によれば、ジャッキアップ部に隣接させてタイダウンホールを形成し、剛性の低いタイダウンホール周辺部を補強部材によって補強している。さらに、補強部材と一体の仕切部材を、該補強部材とジャッキアップ部の反補強部材側端との間に配設することにより、この１つの仕切部材によってタイダウンホール周辺部のさらなる補強とジャッキアップ部の補強とが可能となる。したがって、部品点数を抑制しつつ、タイダウンホール周辺部の補強及びジャッキアップ部の補強を両立させることができる。
【００１３】
第２の発明は、第１の発明において、上記底壁部のジャッキアップ部対応箇所には、上記湾曲面から上記底壁部の一般面と略同一高さ位置まで車両上方に突出するビード部が形成され、上記補強部材は、車両前後方向に上記ビード部まで延びて該ビード部に接合された延長部を有することを特徴とする。
【００１４】
第２の発明によれば、ジャッキアップ部にビード部が形成され、さらに、このビード部にタイダウンホール周辺部を補強する補強部材の一部が接合されるので、ジャッキアップ部がさらに補強される。
【００１５】
第３の発明は、第２の発明において、上記フロアパネルにおけるフロントフロアパネルとその車両後方のリアフロントパネルとの境界部分には、車両後方に段上がり状となるキックアップ部が形成され、該キックアップ部の車両後方には、車幅方向に延びて両端が上記一対のサイドシルに連結されたクロスメンバが設けられ、上記仕切部材は、上記サイドシルの内周面における上記クロスメンバに対応する部位に接合されていることを特徴とする。
【００１６】
第３の発明によれば、ジャッキアップ部に隣接する位置に設けられた仕切部材がサイドシルの内周面におけるクロスメンバ対応箇所に接合されているので、ジャッキアップ時、ジャッキからの支持荷重がジャッキアップ部、仕切部材を介してクロスメンバに作用し、クロスメンバがこの支持荷重を受ける。このように、支持荷重が比較的剛性の高いクロスメンバに伝達されるので、サイドシルの変形を抑制することが可能となる。
【発明の効果】
【００１７】
以上、本発明によれば、部品点数を抑制しつつ、タイダウンホール周辺部の補強とジャッキアップ部の補強とを両立させることができる。
【図面の簡単な説明】
【００１８】
【図１】本発明の実施形態に係る車両の車体下部構造における車両後方の外観を示す底面図である。
【図２】図１のII部拡大図である。
【図３】実施形態に係る車両の車体下部構造を示す斜視図である。
【図４】リアサイドフレームが取り外された状態における図２相当図である。
【図５】図４のV-V線断面図である。
【図６】フレームサイドアウタパネル及びサイドシルアウタが取り外された状態における車両の車体下部構造の側面図である。
【図７】補強ブラケットを示す図であって、（ａ）は平面図であり、（ｂ）は正面図であり、（ｃ）は側面図である。
【図８】補強ブラケットとフロアパネル及びクロスメンバとの位置関係を示す図である。
【図９】本発明の実施形態の変形例に係る車両の車体下部構造を示す図６相当図である。
【発明を実施するための形態】
【００１９】
以下、本発明の実施形態を図面に基づいて説明する。尚、以下の好ましい実施形態の説明は本質的に例示に過ぎず、本発明、その適用物或いはその用途を制限することを意図するものではない。
【００２０】
図１は車両１の車体下部構造における車両後方の外観を示す底面図であり、図２は図１のII部拡大図である。図中、矢印Ｆｒ及びＲｅは車両前後方向を示しており、矢印Ｆは車両前方を示し、矢印Ｒは車両後方を示している。さらに、矢印Ｒ及びＬは車幅方向を示しており、矢印Ｒは車両右方向を示し、矢印Ｌは車両左方向を示している。したがって、図２は上記車体下部構造のうち車両右側部分を示している。
【００２１】
上記車両１の車体下部には、車両前後方向に延びる一対のサイドシル３，３が車幅方向に間隔をあけて設けられている。該各サイドシル３の車幅方向外側の側面には、外観を形成するフレームサイドアウタパネル５が取り付けられている。また、上記一対のサイドシル３，３は、車室（図示せず）の床面を形成するフロアパネル７によって連結されている。
【００２２】
上記フロアパネル７は、上記床面の車両前側部分を形成するフロントフロアパネル７ａと、その車両後方に配置されて上記床面の車両後側部分を形成するリアフロアパネル７ｂと、によって構成されている。該リアフロアパネル７ｂの車幅方向両端部下方には、一対のリアサイドフレーム９，９が車両前後方向に延びている。
【００２３】
上記各サイドシル３の後端には、リアホイールハウス１１が連結されており、該リアホイールハウス１１の内側には、車輪を支持するナックル１３が設けられている。そして、上記各リアサイドフレーム９の底面における上記リアホイールハウス１１の前方には、凹部９ａが形成されている。この凹部９ａには、サスペンション懸架部材の一つであるトレーリングアーム１３の前端を固定する固定ボルト１５が配設されており、また、当該トレーリングアーム１３の後端が上記ナックル１３に連結されている。
【００２４】
図３は、上記車体下部構造を右斜め前上方から見た斜視図である。なお、図３において、上記サイドシル３は省略されている。
【００２５】
上記リアフロアパネル７ｂは、上記フロントフロアパネル７ａよりも車両上方に配設されており、これらフロントフロアパネル７ａとリアフロアパネル７ｂとの間の境界部分には、車両後方に段上がり状となるキックアップ部７ｃが形成されている。
【００２６】
このキックアップ部７ｃの車両後方には、車幅方向に延びるクロスメンバ１７が配設されており、該クロスメンバ１７は、その車幅方向両側に配設されている上記一対のサイドシル３，３を連結している。さらに、上記キックアップ部７ｃの車両後方において、上記各リアサイドフレーム９の前端部がその車幅方向外側に配設されている上記サイドシル３の車幅方向内側の側面に接合されている。
【００２７】
上記一対のサイドシル３は、互いに略同一構成である。そこで、ここでは、車両右側の上記サイドシル３の構成について説明し、車両左側の上記サイドシル３の構成の説明を省略する。
【００２８】
図４は、上記リアサイドフレーム９が取り外された状態における図２相当図である。また、図５は、図４のV-V線断面図である。
【００２９】
上記サイドシル３は、図５に示すように閉断面形状をなしており、車幅方向内側に配置されるサイドシルインナ１９と、該サイドシルインナ１９に車幅方向外側から接合されたサイドシルアウタ２１と、を有している。
【００３０】
上記サイドシルアウタ２１は、断面ハット状をなしていて、車幅方向内方に開口し且つ車両前後方向に延びる凹部２１ａが形成されている。
【００３１】
上記サイドシルアウタ２１は、外面に上記フレームサイドアウタパネル５が接合され且つ上記凹部２１ａの底部を形成する縦壁部２１ｂと、該縦壁部２１ｂの上端から車幅方向内側に延びる上壁部２１ｃと、上記縦壁部２１ｂの下端から車幅方向内側に延びる底壁部２１ｄと、を有している。さらに、上記縦壁部２１ｂの車幅方向内側端から上側フランジ２１ｅが車両上方に張り出している一方、上記底壁部２１ｄの車幅方向内側端から下側フランジ２１ｆが車両下方に張り出している。上記上壁部２１ｃには、車幅方向内側に突出し且つ車両前後方向に延びる突条部２１ｇが形成されており、サイドシルアウタ２１の剛性を高めている。
【００３２】
一方、上記サイドシルインナ１９は、上記リアサイドフレーム９の前端部に接合されている。該サイドシルインナ１９は、上記サイドシルアウタ２１と同様に断面ハット状をなしていて、車幅方向外方に開口し且つ車両前後方向に延びる凹部１９ａが形成されている。
【００３３】
上記サイドシルインナ１９は、上記リアサイドフレーム９の前端部に接合され且つ上記凹部１９ａの底部を形成する縦壁部１９ｂと、該縦壁部１９ｂの上端から車幅方向外側に延びる上壁部１９ｃと、上記縦壁部１９ｂの下端から車幅方向外側に延びて該上壁部１９ｃと対向する底壁部１９ｄと、を有している。さらに、上記上壁部１９ｃの車幅方向外側端から上側フランジ１９ｅが車両上方に張り出している一方、上記底壁部１９ｄの車幅方向外側端から下側フランジ１９ｆ（フランジ）が車両下方に張り出している。そして、上記上側フランジ１９ｅ及び下側フランジ１９ｆには、車幅方向外側からそれぞれ上記上側フランジ２１ｅ及び下側フランジ２１ｆが溶接等によって接合されている。
【００３４】
また、図４に示すように、上記底壁部１９ｄの上記リアフロアパネル７ｂ前端に対応する箇所には、図示しないタイダウンフックが係止されるタイダウンホール２３が形成されている。該タイダウンホール２３は、車両前後方向に長い長孔である。上記凹部１９ａ内の該タイダウンホール２３対応箇所には、該タイダウンホール２３周辺部を補強する補強ブラケット２５が設けられている。
【００３５】
図６は、上記フレームサイドアウタパネル５及び上記サイドシルアウタ２１が取り外された状態における上記車体下部構造を車両右方から見た図である。また、図７は、上記補強ブラケット２５を示す図であって、（ａ）は平面図であり、（ｂ）は正面図であり、（ｃ）は側面図である。
【００３６】
上記補強ブラケット２５は、１枚の鋼板を曲げ加工したものであって、上記底壁部１９ｄ上の上記タイダウンホール２３対応箇所に溶接等で接合された略矩形板状のブラケット本体２７（補強部材）と、該ブラケット本体２７の車幅方向内側端から上方に立ち上がり、上記縦壁部１９ｂに溶接等で接合される縦板部２９と、上記ブラケット本体２７の車幅方向外側端から下方に延びて上記下側フランジ１９ｆに車幅方向外側から溶接等で接合されるブラケットフランジ３１と、上記ブラケット本体２７の車両前後方向両端から上方に立ち上がり、上記凹部１９ａを車両前後方向に仕切る一対の仕切壁３３，３５（仕切部材）と、を有している。
【００３７】
上記ブラケット本体２７は、上記底壁部１９ｄの幅方向全体に亘って設けられており、その車両前後方向中央から前端部に亘って上記タイダウンホール２３と略同一形状の貫通孔２７ａが形成されている。なお、該ブラケット本体２７の車両前方且つ車幅方向内側の隅部は切り欠かれている。
【００３８】
上記縦板部２９は、略台形板状をなし、車両後方側辺部が車両上方に向かって車両前方に傾斜している。
【００３９】
上記ブラケットフランジ３１は、矩形板状をなし、上記サイドシルインナ１９の下側フランジ１９ｆと略同一の上下幅を有している。
【００４０】
上記一対の仕切壁３３，３５のうち後側の仕切壁３５（以下、後側仕切壁３５という。）は、略矩形板状をなし、上記ブラケット本体２７から上記上壁部１９ｃまで車両上方に延びている。
【００４１】
上記後側仕切壁３５の上端には、上記上壁部１９ｃに溶接等で接合される、車幅方向に細長い略矩形板状の上側接合片３５ａが形成されている。また、該後側仕切壁３５の車幅方向内側端には、上記縦壁部１９ｂに溶接等で接合される３つの内側接合片３５ｂ，３５ｂ，３５ｂが車両上下方向に間隔をあけて形成されている。上記上側接合片３５ａは、上記後側仕切壁３５上端から車両後方に向かって上側に傾斜するように延びている。これに対し、上記内側接合片３５ｂ，３５ｂ，３５ｂは、上記後側仕切壁３５の車幅方向内側端から車両後方にほぼ垂直に折り曲げられている。また、上記内側接合片３５ｂ，３５ｂ，３５ｂは、互いに略同一の突出寸法を有している。
【００４２】
また、上記後側仕切壁３５には、車幅方向外方に開口する略コ字状のリブ３７が形成されている。なお、図７（ｂ）には、該リブ３７の上端部のみ図示されている。
【００４３】
一方、上記一対の仕切壁３３，３５のうち前側の仕切壁３３（以下、前側仕切壁３３という。）は、図７（ｂ）に示すように略台形板状をなし、車幅方向外側に向かって上下幅が大きくなっており、上記ブラケット本体２７から上記上壁部１９ｃまで車両上方に延びている。なお、上記前側仕切壁３３の下端かつ車幅方向内側の隅部は切り欠かれている。
【００４４】
上記前側仕切壁３３の上端には、上記上壁部１９ｃに溶接等で接合される一対の上側接合片３３ａ，３３ａが車幅方向に間隔をあけて形成されている。また、該前側仕切壁３３の車幅方向内側端には、上記縦壁部１９ｂに溶接等で接合される一対の内側接合片３５ｂ，３５ｂが車両上下方向に間隔をあけて形成されている。これら上側接合片３５ａ，３５ａ及び内側接合片３５ｂ，３５ｂは、上記前側仕切壁３３の端から車両前方にほぼ垂直に折り曲げられている。上記一対の上側接合片３５ａ，３５ａは、図７（ａ）に示すように、略同一の突出寸法を有している。これに対し、上記一対の内側接合片３５ｂ，３５ｂのうち上側の内側接合片３５ｂは、図６及び図７（ｃ）に示すように、下側の内側接合片３５ｂよりも車両前方に突出している。
【００４５】
また、上記前側仕切壁３３には、図７（ｂ）に示すように、車幅方向外方に開口する略コ字状のリブ３９が形成されている。該リブ３９は、上記前側仕切壁３３の一部を車両後方に窪ませて形成されており、上側から順に、上記前側仕切壁３３の上端に沿って車幅方向に延びる上側リブ３９ａと、該上側リブ３９ａの車幅方向内側端から下方に延びる縦リブ３９ｂと、該縦リブ３９ｂの下端から車幅方向外側に向かって下方に傾斜するように延びる下側リブ３９ｃと、によって構成されている。そして、上記上側リブ３９ａは、上記上側の内側接合片３５ｂに向かって車幅方向に延びている一方、上記下側リブ３９ｃは、上記下側の内側接合片３５ｂに向かって車幅方向に延びている。
【００４６】
図８は、上記補強ブラケット２５と上記フロアパネル７及びクロスメンバ１７との位置関係を示す図である。なお、図８では、上記補強ブラケット２５を仮想線で示している。
【００４７】
上記クロスメンバ１７は、上記キックアップ部７ｃの車両後方において、車両後方に向かって上側に傾斜している。このクロスメンバ１７の車幅方向外側に上記補強ブラケット２５の前側仕切壁３３が位置している。該前側仕切壁３３の上側の内側接合片３３ｂは、上記サイドシルインナ１９の縦壁部１９ｂの内周面における上記クロスメンバ１７の車両上下方向中央部に接合されている。
【００４８】
そして、車両側突時に、上記フレームサイドアウタパネル５及びサイドシルアウタ２１に衝突荷重が作用すると、上記凹部１９ａを車両前後方向に仕切る上記前側仕切壁３３及び後側仕切壁３５によって受け止められる。したがって、上記サイドシル３の変形を抑制することができる。
【００４９】
次に、上記前側仕切壁３３に作用した衝突荷重は、主に上記リブ３９の車幅方向に延びる上側リブ３９ａ及び下側リブ３９ｃを伝って、上記縦リブ３９ｂに収束し、上下一対の上記内側接合片３３ｂ，３３ｂに作用する。そして、衝突荷重は、上記内側接合片３３ｂを介して上記サイドシルインナ１９の縦壁部１９ｂに作用し、その車幅方向内側に位置する上記クロスメンバ１７に作用する。
【００５０】
このように、車両側突時の衝突荷重の伝達経路、すなわちロードパスが比較的剛性の高い上記クロスメンバ１７に繋がっている。したがって、上記車体下部構造の変形を抑制することが可能となる。
【００５１】
また、上記前側仕切壁３３に形成された上記リブ３９によって衝突荷重が車幅方向内側に効率良く伝達されるので、上記サイドシル３の変形をさらに抑制することができる。
【００５２】
一方、図４に示すように、上記サイドシル３の上記クロスメンバ１７対応箇所、すなわち上記タイダウンフックの車両前方に隣接する部位には、図示しないジャッキによって上記車両１が支持されるジャッキアップ部４１が形成されている。
【００５３】
上記サイドシルインナ１９の底壁部１９ｄにおける上記ジャッキアップ部４１に対応する部位は、図６に示すように、該底壁部１９ｄの上面の一般面より湾曲面４３をもって下方に窪んでいる。そして、この湾曲面４３により、上記サイドシルインナ１９の下側フランジ１９ｆの上記ジャッキアップ部４１対応箇所は、上下幅が細幅となっている。そのため、この細幅部分は、上記下側フランジ１９ｆのその他の部分よりも剛性が高くなっている。したがって、この細幅部分が上記ジャッキによって支持される。このように、上記ジャッキアップ部４１は、上記下側フランジ１９ｆの細幅部分によって形成されている。
【００５４】
上記底壁部１９ｄのジャッキアップ部４１対応箇所には、上記湾曲面４３から上記底壁部１９ｄの一般面と略同一高さまで車両上方に突出するビード部４５が車幅方向に直線状に延びるように形成されている。このようにビード部４５が形成されることにより、上記ジャッキアップ部４１の剛性がさらに高まる。
【００５５】
そして、上記補強ブラケット２５の上記前側仕切壁３３は、図６に示すように、上記ブラケット本体２７と、上記ジャッキアップ部４１の反ブラケット本体２７側端、すなわち上記湾曲面４３の車両前側端との間に配設されている。このように、ジャッキアップ部４１に隣接させてタイダウンホール２３を形成し、剛性の低いタイダウンホール２３周辺部を補強ブラケット２５のブラケット本体２７で補強している。さらに、同じく補強ブラケット２５の一部である前側仕切壁３３を配設することにより、タイダウンホール２３周辺部のさらなる補強及びジャッキアップ部４１の補強が可能となっている。
【００５６】
−発明の実施形態の効果−
上記実施形態によれば、ジャッキアップ部４１に隣接させてタイダウンホール２３を形成し、剛性の低いタイダウンホール２３周辺部を補強ブラケット２５のブラケット本体２７によって補強している。さらに、ブラケット本体２７と一体の前側仕切壁３３を、該ブラケット本体２７とジャッキアップ部４１の反ブラケット本体２７側端との間に配設することにより、この１つの前側仕切壁３３によってタイダウンホール２３周辺部のさらなる補強とジャッキアップ部４１の補強とが可能となる。したがって、部品点数を抑制しつつ、タイダウンホール２３周辺部の補強及びジャッキアップ部４１の補強を両立させることができる。
【００５７】
また、上記実施形態によれば、ジャッキアップ部４１に隣接する位置に設けられた前側仕切壁３３がサイドシルインナ１９の縦壁部１９ｂにおけるクロスメンバ１７対応箇所に接合されているので、ジャッキアップ時、ジャッキからの支持荷重がジャッキアップ部４１、前側仕切壁３３を介してクロスメンバ１７に作用し、クロスメンバ１７がこの支持荷重を受ける。このように、支持荷重が比較的剛性の高いクロスメンバ１７に伝達されるので、サイドシル３の変形を抑制することが可能となる。
【００５８】
（変形例）
図９は、上記実施形態の変形例に係る車両の車体下部構造を示す図６相当図である。
【００５９】
この変形例に係る補強ブラケット４７は、上記ブラケット本体２７から車両前方に上記ビード部４５まで延びる延長部４９を有する点で、上記実施形態と異なる。その他の構成は、上記実施形態と略同一であるため、ここでは、それらの説明を省略する。
【００６０】
上記延長部４９は、上記ブラケット本体２７の車両前側端から車両前方に上記ビード部４５の突出端まで延びている。そして、該延長部４９は溶接等によって該突出端に接合されている。
【００６１】
このように、補強ブラケット２５とビード部４５とが接合されている。そのため、ジャッキアップ部４１が補強ブラケット２５によって補強されると共に、補強ブラケット２５がビード部４５によって補強される。したがって、タイダウンホール２３周辺部の剛性がさらに高まると共に、ジャッキアップ部４１の剛性もさらに高まる。
【００６２】
なお、上記実施形態では、ジャッキアップ部４１がタイダウンホール２３の車両前方に形成され、前側仕切壁３３がブラケット本体２７とジャッキアップ部４１の車両前側端との間に配設されているが、これに限定されず、ジャッキアップ部４１がタイダウンホール２３の車両後方に形成され、後側仕切壁３５がブラケット本体２７とジャッキアップ部４１の車両後側端との間に配設されていてもよい。
【産業上の利用可能性】
【００６３】
以上説明したように、本発明に係る車両の車体下部構造は、部品点数を抑制しつつ、タイダウンホール周辺部の補強とジャッキアップ部の補強とを両立させる用途に適用することができる。
【符号の説明】
【００６４】
１      車両
３      サイドシル
７      フロアパネル
７ａ    フロントフロアパネル
７ｂ    リアフロアパネル
７ｃ    キックアップ部
９      リアサイドフレーム
１７    クロスメンバ
１９    サイドシルインナ
１９ａ  凹部
１９ｃ  上壁部
１９ｄ  底壁部
１９ｆ  下側フランジ（フランジ）
２１    サイドシルアウタ
２３    タイダウンホール
２５    補強ブラケット
２７    ブラケット本体（補強部材）
３３    前側仕切壁
３５    後側仕切壁
４１    ジャッキアップ部
４３    湾曲面
４５    ビード部
４７    補強ブラケット
４９    延長部
【図１】
2015160511.tif 000003
【図２】
2015160511.tif 000004
【図３】
2015160511.tif 000005
【図４】
2015160511.tif 000006
【図５】
2015160511.tif 000007
【図６】
2015160511.tif 000008
【図７】
2015160511.tif 000009
【図８】
2015160511.tif 000010
【図９】
2015160511.tif 000011